(57)【特許請求の範囲】
【請求項１】
被災者の被災者情報と前記被災者の安否情報とを特定可能な安否画像を形成する安否画像形成手段と、
前記被災者情報と前記安否情報とを特定可能な前記安否画像を読み取る画像読取手段と、
前記画像読取手段が読み取った前記安否画像から、前記被災者情報と前記安否情報とを特定する特定手段と、
前記特定手段が特定した前記被災者情報と前記安否情報とを関連付けてデータベースに登録する登録手段と、
を含む安否情報登録システム。
【請求項２】
前記画像読取手段は、前記被災者情報を特定可能な情報を含む被災者画像を読み取り、
前記安否情報登録システムは、
前記画像読取手段が読み取った前記被災者画像から、前記被災者情報を特定する手段を更に含み、
前記安否画像形成手段は、前記特定する手段が特定した前記被災者情報と、前記安否情報と、を特定可能な安否画像を形成する、
請求項１に記載の安否情報登録システム。
【請求項３】
前記安否画像形成手段は、複数種類の前記安否情報ごとに、前記安否画像を形成し、
前記特定手段は、前記画像読取手段が読み取った前記安否画像から、前記複数種類の安否情報の何れであるかを特定する、
請求項２に記載の安否情報登録システム。
【請求項４】
前記安否情報登録システムは、前記画像読取手段の位置情報を取得する位置取得手段を更に含み、
前記登録手段は、前記特定手段が特定した前記被災者情報と前記安否情報と、前記位置取得手段が取得した前記位置情報と、を関連付けて前記データベースに登録する、
請求項１〜３の何れかに記載の安否情報登録システム。
【請求項５】
前記被災者情報は、前記被災者が属するグループを示すグループ情報に関連付けられており、
前記画像読取手段は、前記グループ情報と、前記グループに属する各被災者の位置を示す位置画像を要求するための位置要求情報と、を特定可能な位置要求画像を読み取り、
前記安否情報登録システムは、
前記画像読取手段が読み取った前記位置要求画像から、前記グループ情報と、前記位置要求情報と、を特定する位置要求特定手段と、
前記位置要求特定手段が前記位置要求情報を特定した場合に、前記位置要求特定手段が特定した前記グループ情報に関連付けられた前記位置情報に基づいて、前記位置画像を形成する位置画像形成手段と、
を更に含む請求項４に記載の安否情報登録システム。
【請求項６】
前記安否情報登録システムは、災害の災害情報を取得する手段を更に含み、
前記位置画像形成手段は、前記災害情報に基づいて前記位置画像を形成する、
請求項５に記載の安否情報登録システム。
【請求項７】
前記被災者情報は、前記被災者が属するグループを示すグループ情報に関連付けられており、
前記画像読取手段は、前記グループ情報と、前記グループに属する各被災者の安否を示す前記安否画像を要求するための安否要求情報と、を特定可能な安否要求画像を読み取り、
前記安否情報登録システムは、
前記画像読取手段が読み取った前記安否要求画像から、前記グループ情報と、前記安否要求情報と、を特定する安否要求特定手段と、
前記安否要求特定手段が前記安否要求情報を特定した場合に、前記安否要求特定手段が特定した前記グループ情報に関連付けられた前記安否情報に基づいて、前記安否画像を形成する手段と、
を更に含む請求項１〜６の何れかに記載の安否情報登録システム。
【請求項８】
画像形成手段に被災者の被災者情報と前記被災者の安否情報とを特定可能な安否画像を形成させる安否画像形成手段と、
前記被災者情報と前記安否情報とを特定可能な前記安否画像を読み取る画像読取手段が読み取った前記安否画像から、前記被災者情報と前記安否情報とを特定する特定手段と、
前記特定手段が特定した前記被災者情報と前記安否情報とを関連付けてデータベースに登録する登録手段と、
を含む安否情報登録装置。
【請求項９】
画像形成手段に被災者の被災者情報と前記被災者の安否情報とを特定可能な安否画像を形成させる安否画像形成手段、
前記被災者の被災者情報と前記安否情報とを特定可能な前記安否画像を読み取る画像読取手段が読み取った前記安否画像から、前記被災者情報と前記安否情報とを特定する特定手段、及び、
前記特定手段が特定した前記被災者情報と前記安否情報とを関連付けてデータベースに登録する登録手段、
としてコンピュータを機能させるためのプログラム。
【請求項１０】
被災者の情報であり、且つ前記被災者が属するグループを示すグループ情報に関連付けられている被災者情報と前記被災者の安否情報とを特定可能な安否画像と、前記グループ情報と前記グループに属する各被災者の位置を示す位置画像を要求するための位置要求情報とを特定可能な位置要求画像と、を読み取る画像読取手段と、
前記画像読取手段が読み取った前記安否画像から、前記被災者情報と前記安否情報とを特定する特定手段と、
前記画像読取手段の位置情報を取得する位置取得手段と、
前記特定手段が特定した前記被災者情報と前記安否情報と、前記位置取得手段が取得した前記位置情報と、を関連付けてデータベースに登録する登録手段と、
前記画像読取手段が読み取った前記位置要求画像から、前記グループ情報と前記位置要求情報とを特定する位置要求特定手段と、
前記位置要求特定手段が前記位置要求情報を特定した場合に、前記位置要求特定手段が特定した前記グループ情報に関連付けられた前記位置情報に基づいて、前記位置画像を形成する位置画像形成手段と、
を含む安否情報登録システム。
【請求項１１】
被災者の情報であり、且つ前記被災者が属するグループを示すグループ情報に関連付けられている被災者情報と前記被災者の安否情報とを特定可能な安否画像と、前記グループ情報と前記グループに属する各被災者の位置を示す位置画像を要求するための位置要求情報とを特定可能な位置要求画像と、を読み取る画像読取手段が読み取った前記安否画像から、前記被災者情報と前記安否情報とを特定する特定手段と、
前記画像読取手段の位置情報を取得する位置取得手段と、
前記特定手段が特定した前記被災者情報と前記安否情報と、前記位置取得手段が取得した前記位置情報と、を関連付けてデータベースに登録する登録手段と、
前記画像読取手段が読み取った前記位置要求画像から、前記グループ情報と前記位置要求情報とを特定する位置要求特定手段と、
前記位置要求特定手段が前記位置要求情報を特定した場合に、前記位置要求特定手段が特定した前記グループ情報に関連付けられた前記位置情報に基づいて、画像形成手段に前記位置画像を形成させる位置画像形成手段と、
を含む安否情報登録装置。
【請求項１２】
被災者の情報であり、且つ前記被災者が属するグループを示すグループ情報に関連付けられている被災者情報と前記被災者の安否情報とを特定可能な安否画像と、前記グループ情報と前記グループに属する各被災者の位置を示す位置画像を要求するための位置要求情報とを特定可能な位置要求画像と、を読み取る画像読取手段が読み取った前記安否画像から、前記被災者情報と前記安否情報とを特定する特定手段、
前記画像読取手段の位置情報を取得する位置取得手段、
前記特定手段が特定した前記被災者情報と前記安否情報と、前記位置取得手段が取得した前記位置情報と、を関連付けてデータベースに登録する登録手段、
前記画像読取手段が読み取った前記位置要求画像から、前記グループ情報と前記位置要求情報とを特定する位置要求特定手段、及び、
前記位置要求特定手段が前記位置要求情報を特定した場合に、前記位置要求特定手段が特定した前記グループ情報に関連付けられた前記位置情報に基づいて、画像形成手段に前記位置画像を形成させる位置画像形成手段、
としてコンピュータを機能させるためのプログラム。
【発明の詳細な説明】
【技術分野】
【０００１】
本発明は安否情報登録システム、安否情報登録装置、及びプログラムに関する。
【背景技術】
【０００２】
特許文献１には、安否確認対象者の携帯端末から受信した現在位置情報をデータベースに予め登録しておき、災害等の発生位置の近くにいる安否確認対象者の携帯端末に対して、災害等が発生したため安否情報を連絡する旨のメッセージを送信し、安否確認対象者の携帯端末から安否情報を送信させるシステムが記載されている。
【先行技術文献】
【特許文献】
【０００３】
【特許文献１】特開２００４−２５３９５１号公報
【発明の概要】
【発明が解決しようとする課題】
【０００４】
被災者（安否確認対象者）が自身が所時する携帯端末を使用して安否情報を登録するシステムにおいては、被災者が携帯端末を用いて安否情報を送信してデータベースに登録する必要がある。しかし、被災者が携帯端末を所持していない場合や、バッテリー切れなどにより携帯端末を使用できない場合、被災者が携帯端末の操作に不慣れな場合等は、被災者は安否情報を送信することができない。
【０００５】
本発明の目的は、被災者が携帯端末などを使用しなくても安否情報をデータベースに登録することである。
【課題を解決するための手段】
【０００６】
請求項１に記載の発明は、被災者の被災者情報と、前記被災者の安否情報と、を特定可能な画像を読み取る画像読取手段と、前記画像読取手段が読み取った前記画像を解析して、前記被災者情報と前記安否情報とを特定する特定手段と、前記特定手段が特定した前記被災者情報と前記安否情報とを関連付けてデータベースに登録する登録手段と、を含む安否情報登録システムである。
【０００７】
また、請求項２に記載の発明は、前記画像読取手段は、前記被災者情報を特定可能な情報を含む第１の画像を読み取り、前記安否情報登録システムは、前記画像読取手段が読み取った前記第１の画像を解析して、前記被災者情報を特定する手段と、当該手段が特定した前記被災者情報と、前記安否情報と、を特定可能な第２の画像を形成する第２画像形成手段と、を更に含み、前記画像読取手段は、前記第２の画像を読み取り、前記特定手段は、前記画像読取手段が読み取った前記第２の画像を解析して、前記被災者情報と前記安否情報とを特定する、請求項１に記載の安否情報登録システムである。
【０００８】
また、請求項３に記載の発明は、前記第２画像形成手段は、複数種類の前記安否情報ごとに、前記第２の画像を形成し、前記特定手段は、前記画像読取手段が読み取った前記第２の画像を解析して、前記複数種類の安否情報の何れであるかを特定する、請求項２に記載の安否情報登録システムである。
【０００９】
また、請求項４に記載の発明は、前記安否情報登録システムは、前記画像読取手段の位置情報を取得する位置取得手段を更に含み、前記登録手段は、前記特定手段が特定した前記被災者情報と前記安否情報と、前記位置取得手段が取得した前記位置情報と、を関連付けて前記データベースに登録する、請求項１〜３の何れかに記載の安否情報登録システムである。
【００１０】
また、請求項５に記載の発明は、前記被災者情報は、前記被災者が属するグループを示すグループ情報に関連付けられており、前記画像読取手段は、前記グループ情報と、前記グループに属する各被災者の位置を示す位置画像を要求するための位置要求情報と、を特定可能な位置要求画像を読み取り、前記安否情報登録システムは、前記画像読取手段が読み取った前記位置要求画像を解析して、前記グループ情報と、前記位置要求情報と、を特定する位置要求特定手段と、前記位置要求特定手段が前記位置要求情報を特定した場合に、前記位置要求特定手段が特定した前記グループ情報に関連付けられた前記位置情報に基づいて、前記位置画像を形成する位置画像形成手段と、を更に含む請求項４に記載の安否情報登録システムである。
【００１１】
また、請求項６に記載の発明は、前記安否情報登録システムは、災害の災害情報を取得する手段を更に含み、前記位置画像形成手段は、前記災害情報に基づいて前記位置画像を形成する、請求項５に記載の安否情報登録システムである。
【００１２】
また、請求項７に記載の発明は、前記被災者情報は、前記被災者が属するグループを示すグループ情報に関連付けられており、前記画像読取手段は、前記グループ情報と、前記グループに属する各被災者の安否を示す安否画像を要求するための安否要求情報と、を特定可能な安否要求画像を読み取り、前記安否情報登録システムは、前記画像読取手段が読み取った前記安否要求画像を解析して、前記グループ情報と、前記安否要求情報と、を特定する安否要求特定手段と、前記安否要求特定手段が前記安否要求情報を特定した場合に、前記安否要求特定手段が特定した前記グループ情報に関連付けられた前記安否情報に基づいて、前記安否画像を形成する手段と、を更に含む請求項１〜６の何れかに記載の安否情報登録システムである。
【００１３】
また、請求項８に記載の発明は、被災者の被災者情報と、前記被災者の安否情報と、を特定可能な画像を読み取る画像読取手段が読み取った前記画像を解析して、前記被災者情報と前記安否情報とを特定する特定手段と、前記特定手段が特定した前記被災者情報と前記安否情報とを関連付けてデータベースに登録する登録手段と、を含む安否情報登録装置である。
【００１４】
また、請求項９に記載の発明は、被災者の被災者情報と、前記被災者の安否情報と、を特定可能な画像を読み取る画像読取手段が読み取った前記画像を解析して、前記被災者情報と前記安否情報とを特定する特定手段、前記特定手段が特定した前記被災者情報と前記安否情報とを関連付けてデータベースに登録する登録手段、としてコンピュータを機能させるためのプログラムである。
【発明の効果】
【００１５】
上記請求項１に記載の安否情報登録システムによれば、被災者が携帯端末などを使用しなくても安否情報をデータベースに登録することができる。
【００１６】
また、上記請求項２に記載の安否情報登録システムによれば、被災者が第２の画像を用いて、安否情報をデータベースに登録することができる。
【００１７】
また、上記請求項３に記載の安否情報登録システムによれば、被災者が複数種類の安否情報のうちの何れかをデータベースに登録することができる。
【００１８】
また、上記請求項４に記載の安否情報登録システムによれば、被災者が利用した画像読取手段の位置情報を被災者情報及び安否情報に関連付けて、データベースに登録することができる。
【００１９】
また、上記請求項５に記載の安否情報登録システムによれば、被災者のグループに属する各被災者の位置を示す位置画像を形成することができる。
【００２０】
また、上記請求項６に記載の安否情報登録システムによれば、災害情報に基づいて位置画像を形成することができる。
【００２１】
また、上記請求項７に記載の安否情報登録システムによれば、被災者のグループに属する各被災者の安否を示す位置画像を形成することができる。
【００２２】
また、上記請求項８に記載の安否情報登録装置によれば、被災者が携帯端末などを使用しなくても安否情報をデータベースに登録することができる。
【００２３】
また、上記請求項９に記載のプログラムによれば、コンピュータを用いて、被災者が携帯端末などを使用しなくても安否情報をデータベースに登録することができる。
【図面の簡単な説明】
【００２４】
【図１】本実施形態に係る安否情報登録システムの機器構成の一例を示す図である。
【図２】安否情報登録システムの機能的な構成の一例を示す機能ブロック図である。
【図３】被災者登録画像が入力される場合に安否情報登録システムが実行する処理の一例を示す図である。
【図４】被災者登録画像の一例を示す図である。
【図５】被災者情報データベースに記憶される被災者情報テーブルのデータ格納例を示す図である。
【図６】被災者情報データベースに記憶されるグループテーブルのデータ格納例を示す図である。
【図７】安否登録カード画像の一例を示した図である。
【図８】安否登録カード画像の一例を示した図である。
【図９】安否要求カード画像の一例を示した図である。
【図１０】位置要求カード画像の一例を示した図である。
【図１１】安否登録画像が入力される場合に安否情報登録システムが実行する処理の一例を示す図である。
【図１２】安否要求画像が入力される場合に安否情報登録システムが実行する処理の一例を示す図である。
【図１３】通常の安否画像の一例を示した図である。
【図１４】差分の安否画像の一例を示した図である。
【図１５】位置要求画像が入力される場合に安否情報登録システムが実行する処理の一例を示す図である。
【図１６】通常の位置画像の一例を示した図である。
【図１７】経路情報付きの位置画像の一例を示した図である。
【図１８】経路情報付きの位置画像の一例を示した図である。
【発明を実施するための形態】
【００２５】
以下に、本発明を実施するための形態の一例である実施形態について、図面を参照しながら説明する。なお、本明細書の各図について、既出の図に関して前述したものと同様の要素には同一の符号を付して、詳細な説明を省略することがある。
【００２６】
［１．安否情報登録システムの機器構成］
図１は、本実施形態に係る安否情報登録システム１の機器構成の一例を示す図である。同図に示すように、安否情報登録システム１は、用紙などの媒体に描かれた画像を読み取る画像読取装置２−１〜２−Ｍ（Ｍは２以上の自然数）（以降、これらを単に画像読取装置２と呼ぶ）と、読み取られた画像から特定される被災者を識別する被災者情報と、被災者の安否を示す安否情報とを登録する安否情報登録装置３と、を含む。
【００２７】
ここで、被災者情報とは、被災者を識別する情報であり、例えば、被災者の名前や、予め定められた被災者のＩＤ、住民基本台帳ネットワークシステム（以下、住基ネットとも呼ぶ）における住民票コードなどであってよい。
【００２８】
また、被災者情報は、被災者が所属するグループを示すグループ情報が関連付けられている。グループ情報とは、１以上の被災者を１つにまとめるための情報であり、例えば、被災した家族同士を関連付けるための自宅の電話番号や住所、同じ町内会に住む被災者同士を関連付けるための町内会の名称、同じ勤務先に勤める被災者同士を関連付けるための勤務先の名称や電話番号などとしてよい。
【００２９】
画像読取装置２は、例えば、複合機やスキャナなどによって構成される。画像読取装置２は、マイクロプロセッサなどの制御部と、ＲＡＭやハードディスクなどの記憶部と、通信インターフェイスと、ディスプレイなどの表示部と、操作ボタンやタッチパネルなどの操作部と、用紙などの媒体に描かれた画像を光学的に読み取る読取部と、受け付けた画像を印刷用紙などの媒体に形成（印刷）する画像形成部と、ＧＰＳ（Ｇｌｏｂａｌ Ｐｏｓｉｔｉｏｎｉｎｇ Ｓｙｓｔｅｍ）を構成する人工衛星（ＧＰＳ衛星）から自装置の緯度経度情報を受信するＧＰＳ受信部とを有する。画像読取装置２は、読取部が読み取った画像を送信することによって、安否情報登録装置３に被災者情報及び安否情報を登録させる。また、画像読取装置２は、被災者により要求された情報を含む各種画像を安否情報登録装置３から取得して、印刷用紙などの媒体に形成する。
【００３０】
安否情報登録装置３は、パソコンやサーバなどの情報処理装置（コンピュータ）によって構成される。安否情報登録装置３は、マイクロプロセッサなどの制御部と、ＲＡＭやハードディスクなどの記憶部と、通信インターフェイスとを有する。安否情報登録装置３は、受信した画像を解析して、被災者情報及び安否情報をデータベースに登録する。また、安否情報登録装置３は、被災者により要求された情報を含む各種画像を生成して、これを画像読取装置２に送信する。
【００３１】
［２．機能的ブロック］
図２は、安否情報登録システム１の機能的な構成を示す機能ブロック図である。同図に示すように、画像読取装置２は、機能的には、画像読取部２０１と、画像送信部２０２と、第２画像形成部２０３と、安否画像形成部２０４と、位置画像形成部２０５と、を含む。これらの機能は、画像読取装置２の制御部が記憶部に格納されたプログラムを実行し、通信インターフェイスや読取部、画像形成部などを制御することによって実現される。
【００３２】
また、図２に示すように、安否情報登録装置３は、機能的には、第１特定部３０１と、第２特定部３０２と、安否要求特定部３０３と、位置要求特定部３０４と、位置情報取得部３０５と、メッセージ画像取得部３０６と、登録部３０７と、被災者情報データベース３０８と、第２画像生成部３０９と、安否画像生成部３１０と、災害情報取得部３１１と、位置画像生成部３１２と、を含む。これらの機能は、安否情報登録装置３の制御部が記憶部に格納されたプログラムを実行し、当該記憶部に記憶される情報を更新したり、通信インターフェイスなどを制御したりすることによって実現される。
【００３３】
［３．処理の流れ］
安否情報登録システム１は、被災者が所持する各種画像の入力を受け付けて、被災者の被災者情報や安否情報を登録したり、被災者により要求された情報を含む画像を形成したりする。安否情報登録システム１は、画像読取装置２が読み取った画像の種類に応じて、様々な処理を実行する。安否情報登録システム１には、例えば、被災者登録画像４０（図４参照）と、安否登録画像５１（図７及び図８参照）と、安否要求画像６１（図９参照）と、位置要求画像７１（図１０参照）が入力される。
【００３４】
［３−１．被災者登録画像が入力される場合の処理］
図３は、被災者登録画像４０が入力される場合に安否情報登録システム１が実行する処理の一例を示す図である。画像読取装置２の画像読取部２０１は、被災者の被災者情報を特定可能な情報を含む、被災者登録画像４０を読み取る（ステップＳ１０１）。なお、画像読取部２０１は、画像読取装置２の制御部と読取部により実現されてよい。
【００３５】
図４は、本実施形態に係る被災者登録画像４０の一例を示す図である。被災者登録画像４０は、被災者情報を登録する場合に入力される画像である。被災者登録画像４０には、被災者情報を特定することが可能な情報として、例えば、被災者の名前を示す文字列情報が記載される。なお、被災者登録画像４０には、被災者情報を特定可能な情報として、予め定められた被災者のＩＤや住基ネットの住民票コードなどを示す文字列情報が記載されてよい。
【００３６】
また、被災者登録画像４０には、被災者のグループ情報を特定することが可能な情報として、例えば、被災者の自宅の電話番号を示す文字列情報が記載される。なお、被災者登録画像４０には、被災者のグループ情報を特定可能な情報として、被災者の住所や町内会の名称、被災者の勤務先などを示す文字列情報が記載されてもよい。
【００３７】
被災者の名前や電話番号を示す文字列情報は、テキスト入力されたものであってよいし、被災者自身による手書きの文字列であってもよい。また、被災者登録画像４０は、複数の被災者情報の各々を特定可能な文字列情報を含む画像（即ち、被災者の一覧表）であってもよい。なお、本実施形態では、被災者登録画像４０は、本発明における「第１の画像」に相当する。
【００３８】
図３に戻り、画像読取装置２の画像送信部２０２は、読み取られた被災者登録画像４０と、画像読取装置２の位置情報と、を安否情報登録装置３に向けて送信する（ステップＳ１０２）。なお、画像送信部２０２は、画像読取装置２の制御部と通信インターフェイスにより実現されてよい。
【００３９】
ここで、画像読取装置２の位置情報は、画像読取装置２の位置を特定するための情報であり、本実施形態では、当該画像読取装置２を利用した被災者の位置（利用した時点における被災者の位置）を特定する情報として用いられる。画像読取装置２の位置情報は、現実世界の位置を示す情報（例えば、市区町村及び地番を示す住所情報や、施設や店舗、建物の名称、ＧＰＳ受信部がＧＰＳ衛星から受信した緯度経度情報など）であってよいし、画像読取装置２を識別する情報（例えば、画像読取装置２のＩＰアドレスや機器名など）であってもよい。なお、画像読取装置２の位置情報は、例えば、画像読取装置２の記憶部に予め記憶されている情報であってもよいし、画像読取装置２の操作部を用いて入力された情報であってもよい。
【００４０】
安否情報登録装置３の第１特定部３０１は、画像読取部２０１が読み取った被災者登録画像４０を解析して、被災者情報を特定する（ステップＳ１０３）。第１特定部３０１は、例えば、被災者登録画像４０（図４参照）に記載される被災者の名前などの文字列情報を、被災者情報として特定する。なお、画像から文字列情報を特定する方法として、公知の種々の方法が適用可能である。
【００４１】
また、第１特定部３０１は、被災者登録画像４０に記載される被災者の自宅の電話番号などの文字列情報を読み取って、グループ情報を特定する。ここで特定されるグループ情報は、上記の文字列情報そのものであってよいし、この文字列情報に基づいて生成される情報（以降、キー情報とも呼ぶ）であってもよい。この他にも、グループ情報は、電話番号などを示す文字列情報やキー情報に対して割り当てられる固有の情報（以降、グループＩＤとも呼ぶ）であってもよい。なお、第１特定部３０１は、安否情報登録装置３の制御部により実現されてよい。
【００４２】
安否情報登録装置３の位置情報取得部３０５は、画像読取装置２の位置情報を取得する（ステップＳ１０４）。位置情報取得部３０５は、ステップＳ１０２において画像読取装置２から送信された、市区町村及び地番を示す住所情報やＧＰＳから取得した緯度経度情報、ＩＰアドレス、機器名などの位置情報を取得する。なお、位置情報取得部３０５は、安否情報登録装置３の制御部により実現されてよい。
【００４３】
安否情報登録装置３の登録部３０７は、ステップＳ１０３において特定された被災者情報及びグループ情報と、ステップＳ１０４において取得された画像読取装置２の位置情報とを関連付けて、被災者情報データベース３０８に登録する（ステップＳ１０５）。なお、登録部３０７は、安否情報登録装置３の制御部により実現されてよい。
【００４４】
図５は、被災者情報データベース３０８に記憶される被災者情報テーブルのデータ格納例を示す図である。同図に示すように、被災者情報データベース３０８は、被災者を識別するための被災者情報（例えば、被災者の名前など）と、被災者の自宅の電話番号などから生成したキー情報と、被災者情報の登録又は更新の際に利用された画像読取装置２の位置情報と、被災者情報が登録又は更新された日時である更新日時を関連付けて記憶する。なお、メッセージ画像ＩＤについては後述する。
【００４５】
なお、ステップＳ１０４において取得された位置情報が、ＩＰアドレスや機器名などの画像読取装置２を識別する情報や、緯度経度情報である場合、安否情報登録装置３の記憶部は、これらの情報と関連付けて、住所情報及び施設や店舗の名称などの、人が見て実際の位置を判断しやすい位置情報を記憶してもよい。
【００４６】
図６は、被災者情報データベース３０８に記憶されるグループテーブルのデータ格納例を示す図である。同図に示すように、被災者情報データベース３０８は、被災者のキー情報と関連付けて、グループＩＤを記憶する。ここで、１つのグループＩＤに関連付けられるキー情報の数は、１つであってもよいし、複数であってもよい。なお、被災者情報データベース３０８は、安否情報登録装置３の記憶部により実現されてよい。
【００４７】
なお、ステップＳ１０４において取得された位置情報が所与の条件を満たさない場合（例えば、画像読取装置２から取得したＩＰアドレスや機器名など事前に登録された内容と異なる場合）、登録部３０７は、位置情報を関連付けずに被災者情報を登録してもよい。また、ステップＳ１０３において複数の被災者情報が特定される場合、登録部３０７は、一度に複数の被災者情報を登録してもよい。
【００４８】
また、被災者情報の登録は、その後の安否情報の登録の際（具体的には、安否登録画像５１が読み取られた際）に行うこととしてもよく、この場合、ステップＳ１０４，Ｓ１０５の処理は省略可能である。
【００４９】
安否情報登録装置３の第２画像生成部３０９は、ステップＳ１０３において特定された被災者情報に係る被災者用の安否登録画像５１と、安否要求画像６１と、位置要求画像７１とを生成する（ステップＳ１０６）。なお、ステップＳ１０３において複数の被災者情報が特定される場合、第２画像生成部３０９は、各被災者情報に係る被災者ごとに、上記の各種画像を生成する。
【００５０】
図７及び図８は、本実施形態に係る安否登録カード画像５０の一例を示した図である。第２画像生成部３０９は、第１特定部３０１が特定した被災者情報ごとに、当該被災者情報と、被災者の安否を示す安否情報と、を特定することが可能な安否登録画像５１（安否登録画像５１ａや安否登録画像５１ｂ）を、各安否登録カード画像５０（安否登録カード画像５０ａや安否登録カード画像５０ｂ）に含めて生成する。ここで、安否登録画像５１とは、被災者情報などの各種情報を特定することが可能な模様の画像である。安否登録画像５１は、被災者情報や安否情報を符号化した画像としてよく、例えば、ＱＲコード（登録商標）などの２次元コード画像としてよい。
【００５１】
第２画像生成部３０９は、例えば、安否登録画像５１に含める各種情報を、安否情報登録装置３の記憶部に記憶されている公知のアルゴリズムに入力することで、２次元コードなどの安否登録画像５１を生成してよい。なお、本実施形態では、安否登録画像５１は、本発明に係る「第２の画像」に相当する。
【００５２】
また、第２画像生成部３０９は、複数種類の安否情報ごとに、安否登録画像５１を生成する。第２画像生成部３０９は、例えば、被災者が無事であることを示すための安否登録画像５１ａ（図７参照）を生成するとともに、被災者がけがをしていることを示すための安否登録画像５１ｂ（図８参照）を生成する。
【００５３】
また、安否登録画像５１は、被災者情報と安否情報との他にも、被災者の安否情報を登録するための登録要求情報を特定可能な状態で含む。この他にも、安否登録画像５１は、第１特定部３０１が特定した被災者のグループ情報や、位置情報取得部３０５が取得した画像読取装置２の位置情報、被災者情報を登録又は更新した日時である更新日時などを含んでもよい。
【００５４】
なお、第２画像生成部３０９が安否登録画像５１にグループ情報を含める場合、第２画像生成部３０９は、被災者情報データベース３０８に記憶されるキー情報（図５参照）をグループ情報としてもよいし、グループＩＤ（図６参照）をグループ情報としてもよい。また、被災者情報データベース３０８に自宅の電話番号などを示す文字列情報が記憶されている場合、第２画像生成部３０９は、当該文字列情報をグループ情報として、安否登録画像５１を生成してもよい。
【００５５】
また、図７及び図８に示すように、安否登録カード画像５０は、安否情報の種類に応じた安否登録画像５１の他にも、自由記入欄５２（自由記入欄５２ａや自由記入欄５２ｂ）を含んでもよい。自由記入欄５２は、例えば、家族や町内会の住人、勤務先の同僚などに向けた被災者のメッセージが記載される。
【００５６】
図９は、本実施形態に係る安否要求カード画像６０の一例を示した図である。同図に示すように、第２画像生成部３０９は、第１特定部３０１が特定した被災者情報ごとに、被災者と同じグループに属する各被災者の安否情報を要求するための安否要求画像６１を、安否要求カード画像６０に含めて生成する。安否要求画像６１は、第１特定部３０１が特定したグループ情報と、各被災者の安否情報を要求するための安否要求情報と、を特定可能な模様の画像である。なお、安否要求画像６１は、この他にも、被災者情報や画像読取装置２の位置情報、当該被災者情報の更新日時など含んでもよい。また、安否要求カード画像６０は、安否登録カード画像５０と同様に、自由記入欄６２を含んでもよい。
【００５７】
図１０は、本実施形態に係る位置要求カード画像７０の一例を示した図である。同図に示すように、第２画像生成部３０９は、被災者情報ごとに、被災者と同じグループに属する各被災者の位置情報を要求するための位置要求画像７１を、位置要求カード画像７０に含めて生成する。位置要求画像７１は、被災者のグループ情報と、各被災者の位置情報を要求するための位置要求情報とを、特定可能な状態で含んでいる。なお、位置要求画像７１は、被災者情報や画像読取装置２の位置情報、更新日時などの情報を含んでもよい。また、位置要求カード画像７０も、安否登録カード画像５０と同様に、自由記入欄７２を含んでもよい。
【００５８】
図３に戻り、第２画像生成部３０９は、被災者情報ごとに生成された安否登録カード画像５０と、安否要求カード画像６０と、位置要求カード画像７０と、を画像読取装置２に送信する（ステップＳ１０７）。なお、第２画像生成部３０９は、安否情報登録装置３の制御部及び通信インターフェイスにより実現されてよい。
【００５９】
画像読取装置２の第２画像形成部２０３は、安否情報登録装置３から送信された安否登録画像５１を含む安否登録カード画像５０（具体的には、安否登録画像５１ａを含む安否登録カード画像５０ａ、及び、安否登録画像５１ｂを含む安否登録カード画像５０ｂ）と、安否要求画像６１を含む安否要求カード画像６０と、位置要求画像７１を含む位置要求カード画像７０と、を印刷用紙などの媒体に形成して（ステップＳ１０８）、処理を終了する。即ち、第２画像形成部２０３は、第１特定部３０１が特定した被災者情報と、安否情報と、を特定することが可能な安否登録画像５１を、安否登録カード画像５０に含めて形成する。換言すると、第２画像形成部２０３は、第２画像生成部３０９により、複数種類の安否情報ごとに生成された安否登録画像５１を形成する。また、第２画像形成部２０３は、グループ情報と、このグループ情報のグループに属する各被災者の安否を示す安否画像を要求するための安否要求情報と、を特定可能な安否要求画像６１を、安否要求カード画像６０に含めて形成する。また、第２画像形成部２０３は、グループ情報と、グループ情報のグループに属する各被災者の位置を示す位置画像を要求するための位置要求情報と、を特定可能な位置要求画像７１を、位置要求カード画像７０に含めて形成する。なお、第２画像形成部２０３は、画像読取装置２の制御部、画像形成部などにより実現されてよい。
【００６０】
以上のように、安否情報登録システム１に被災者登録画像４０が入力されると、この被災者登録画像４０から特定される被災者情報ごとに、安否登録カード画像５０と、安否要求カード画像６０と、位置要求カード画像７０が形成される。被災者は、自分用に形成された各種画像を所持し、これらのうちのいずれかを画像読取装置２に読み取らせることで、自分の安否情報を登録したり、自分と同じグループに属する被災者（例えば、家族や町内会の住人、勤務先の同僚など）の安否情報や位置情報を取得したりすることが可能になる。
【００６１】
［３−２．安否登録画像が入力される場合の処理］
図１１は、安否登録画像５１が入力される場合に安否情報登録システム１が実行する処理の一例を示す図である。同図に示すように、画像読取装置２の画像読取部２０１は、安否登録カード画像５０（例えば、図７に示した安否登録カード画像５０ａと、図８に示した安否登録カード画像５０ｂとのうちの何れか）から、被災者の被災者情報と、この被災者の安否情報と、を特定可能な安否登録画像５１（具体的には、安否登録画像５１ａと安否登録画像５１ｂの何れか）を読み取り（ステップＳ２０１）、画像読取装置２の画像送信部２０２は、読み取られた安否登録画像５１と、画像読取装置２の位置情報とを安否情報登録装置３に向けて送信する（ステップＳ２０２）。なお、画像読取部２０１は、安否登録カード画像５０から安否登録画像５１とは異なる画像（例えば、自由記入欄５２）を読み取ってもよいし、安否登録カード画像５０の画像領域全体を読み取ってもよい。
【００６２】
安否情報登録装置３の第２特定部３０２は、画像読取部２０１が読み取った安否登録画像５１を解析し、登録要求情報を特定することを試みる（ステップＳ２０３）。第２特定部３０２が登録要求情報を特定した場合（ステップＳ２０３：Ｙ）、第２特定部３０２は、安否登録画像５１の解析結果に基づいて、安否登録画像５１に含まれる被災者情報と安否情報を特定する（ステップＳ２０４）。また、第２特定部３０２は、安否登録画像５１に含まれる安否情報が、複数種類の安否情報の何れであるかを特定する。第２特定部３０２は、例えば、安否登録画像５１ａが読み取られた場合、被災者が無事であることを示す安否情報を特定し、安否登録画像５１ｂ読み取られた場合、被災者がけがをしていることを示す安否情報を特定する。なお、第２特定部３０２は、安否情報登録装置３の制御部により実現されてよい。
【００６３】
安否情報登録装置３の位置情報取得部３０５は、ステップＳ２０２において送信された画像読取装置２の位置情報を取得する（ステップＳ２０５）。
【００６４】
安否情報登録装置３のメッセージ画像取得部３０６は、画像読取部２０１が読み取った画像に自由記入欄５２（図７及び図８参照）が含まれ、且つ、この自由記入欄５２に何らかの記載が認められる場合、この自由記入欄５２に記載される画像をメッセージ画像として取得する（ステップＳ２０６）。なお、メッセージ画像取得部３０６は、安否情報登録装置３の制御部により実現されてよい。
【００６５】
安否情報登録装置３の登録部３０７は、ステップＳ２０４において第２特定部３０２が特定した被災者情報及び安否情報と、ステップＳ２０５において位置情報取得部３０５が取得した位置情報とを関連付けて、被災者情報データベース３０８に登録する（ステップＳ２０７）。また、メッセージ画像取得部３０６により自由記入欄５２に記載されたメッセージ画像が取得される場合、登録部３０７は、このメッセージ画像を安否情報登録装置３の記憶部（被災者情報データベース３０８としてよい）に記憶させるとともに、このメッセージ画像を識別するための情報（以降、メッセージ画像ＩＤとも呼ぶ）を上記特定した被災者情報に関連付けて、被災者情報データベース３０８に登録する。
【００６６】
登録部３０７は、例えば、図５に示すように、被災者の安否情報と、画像読取装置２の位置情報と、被災者が無事であるかけがをしているかを示す安否情報と、メッセージ画像ＩＤと、を関連付けて登録する。なお、ステップＳ２０４において特定された被災者情報と同一の被災者情報が既に登録されている場合、登録部３０７は、当該同一の被災者情報に関連付けられた各種情報を上書きして更新することで、同一の被災者について最新の情報のみを記憶するようにしてよいし、当該同一の被災者情報とは別に、新規に被災者情報を登録することで、同一の被災者に関する被災者情報の履歴を記憶するようにしてもよい。
【００６７】
図１１に戻り、安否情報登録装置３の登録部３０７は、被災者情報及び安否情報の登録の完了を、画像読取装置２に通知する（ステップＳ２０８）。この場合、画像読取装置２の表示部や画像形成部は、当該登録の完了を出力することで、被災者に登録が完了した旨を伝えてもよい。なお、登録部３０７は、安否情報登録装置３の通信インターフェイスを含んで実現されてよい。
【００６８】
以上のように、安否情報登録システム１は、安否登録画像５１から被災者情報と安否情報とを特定して、被災者情報データベース３０８に登録する。被災者は、自身の状態に対応する安否登録画像５１（例えば、安否登録画像５１ａ、又は、安否登録画像５１ｂ）を画像読取装置２に読み取らせることで、自身の安否を自分と同じグループに属する被災者に向けて伝えることが可能である。
【００６９】
また、被災者情報データベース３０８には、画像読取装置２の位置情報が、被災者情報に関連付けられて記憶されるため、被災者は、安否情報を登録した時点における自身の居場所を、自分と同じグループに属する各被災者に向けて伝えることが可能である。
【００７０】
［３−３．安否要求画像が入力される場合の処理］
図１２は、安否要求画像６１が入力される場合に安否情報登録システム１が実行する処理の一例を示す図である。画像読取装置２の画像読取部２０１は、安否要求カード画像６０（図９参照）から、被災者の所属するグループを示すグループ情報と、このグループに属する各被災者の安否を示す安否画像８０を要求するための安否要求情報と、を特定することが可能な安否要求画像６１を読み取る（ステップＳ３０１）。なお、画像読取部２０１は、安否要求カード画像６０から安否要求画像６１とは異なる他の画像（例えば、自由記入欄６２）を読み取ってもよいし、安否要求カード画像６０の全体を読み取ってもよい。
【００７１】
画像読取装置２の画像送信部２０２は、当該読み取られた安否要求画像６１を、安否情報登録装置３に向けて送信する（ステップＳ３０２）。ここで、画像送信部２０２は、更に画像読取装置２の位置情報を送信してもよい。
【００７２】
安否情報登録装置３の安否要求特定部３０３は、画像読取部２０１が読み取った安否要求画像６１を解析し、安否要求情報を特定することを試みる（ステップＳ３０３）。安否要求特定部３０３が安否要求情報を特定した場合（ステップＳ３０３：Ｙ）、安否要求特定部３０３は、安否要求画像６１の解析結果に基づいて、被災者のグループ情報を特定する（ステップＳ３０４）。なお、安否要求特定部３０３は、安否情報登録装置３の制御部により実現されてよい。
【００７３】
なお、安否要求特定部３０３は、更に安否要求画像６１に含まれる被災者情報を特定してよく、安否情報登録装置３の位置情報取得部３０５は、画像読取装置２の位置情報を取得してよい。また、安否情報登録装置３の登録部３０７は、被災者情報と位置情報とを関連付けて被災者情報データベース３０８に登録してよいし、被災者情報データベース３０８に登録されている被災者情報のうち、上記特定された被災者情報と同一の被災者情報に関連付けられた情報（例えば、位置情報及び更新日時）を更新してもよい。このようにすることで、安否情報の登録とは異なる要求がされた場合であっても、最新の被災者の位置情報を、被災者情報データベース３０８に記憶させることが可能になる。
【００７４】
また、安否情報登録装置３のメッセージ画像取得部３０６は、安否要求カード画像６０の自由記入欄６２（図９参照）に記載されたメッセージ画像を取得してよい。この場合、登録部３０７は、メッセージ画像を安否情報登録装置３の記憶部に記憶させるとともに、このメッセージ画像を識別するメッセージ画像ＩＤを被災者情報に関連付けて、被災者情報データベース３０８に記憶させてもよい。
【００７５】
安否要求特定部３０３は、ステップＳ３０３において特定した安否要求情報が、差分の安否画像８０を要求するものであるか否かを判定する（ステップＳ３０５）。ここで、安否要求情報が差分の安否画像８０を要求するものと判定されない場合（ステップＳ３０５：Ｎ）、安否情報登録装置３の安否画像生成部３１０は、通常の安否画像８０を生成する。なお、安否要求情報が差分の安否画像８０を要求するものと判定される場合（ステップＳ３０５：Ｙ）、安否画像生成部３１０は、差分の安否画像８０を生成する（ステップＳ３０７）が、その詳細については後述する。
【００７６】
ステップＳ３０６において、安否画像生成部３１０は、安否要求特定部３０３が特定したグループ情報に関連付けられた安否情報に基づいて、このグループ情報のグループに属する各被災者の安否を示す安否画像８０（通常の安否画像８０）を生成する。
【００７７】
図１３は、本実施形態に係る通常の安否画像８０の一例（安否画像８０ａ）を示した図である。同図に示すように、安否画像８０ａには、特定されたグループに所属する各被災者の安否が掲載される。即ち、安否画像生成部３１０は、特定されたグループ情報に関連付けられた各被災者情報及び当該被災者情報に関連付けられた安否情報に基づいて、各被災者の名前などの情報と、各被災者の安否とを示す安否画像８０を生成する。
【００７８】
なお、被災者情報データベース３０８において、同一の被災者を示す被災者情報が複数登録されている場合（即ち、一人の被災者について、複数の被災者情報が履歴として記憶されている場合）、安否画像生成部３１０は、これら複数の被災者情報のうちの何れか１つ（例えば、更新日時が最新のもの）を選択し、選択した被災者情報と、この被災者情報に関連付けられた安否情報とに基づいて、安否画像８０を生成する。
【００７９】
また、図１３に示すように、安否画像８０ａには、各被災者の位置を示す住所情報、施設の名称、店舗の名称などの情報が掲載される。即ち、安否画像生成部３１０は、各被災者情報に関連付けられた位置情報に基づいて、各被災者の位置を示す安否画像８０を生成する。
【００８０】
より具体的には、安否画像生成部３１０は、位置情報により特定される画像読取装置２の位置を、被災者が利用した画像読取装置２の位置、即ち、被災者の位置として、安否画像８０を生成する。ここで、位置情報が、画像読取装置２を識別する情報（例えば、画像読取装置２のＩＰアドレスや機器名など）である場合、安否画像生成部３１０は、当該位置情報から画像読取装置２の現実世界の位置（例えば、住所情報など）を取得し、これを被災者の位置として、安否画像８０を生成する。
【００８１】
また、各被災者情報にメッセージ画像ＩＤが関連付けられている場合、安否画像生成部３１０は、このメッセージ画像ＩＤにより識別されるメッセージ画像（図１３におけるメッセージ画像８２）を含む安否画像８０を生成する。また、安否画像生成部３１０は、各被災者情報に関連付けられた更新日時を含む安否画像８０を生成してもよい。
【００８２】
また、安否画像８０には、差分の安否画像８０を要求するための安否要求画像８１（安否要求画像８１ａ）が掲載される。安否要求画像８１は、特定された被災者のグループ情報と、差分の安否画像８０を要求するための安否要求情報と、当該安否要求画像８１が生成された生成日時と、を含んでいる。なお、安否要求画像８１は、この他にも、安否要求特定部３０３が特定した被災者情報や、位置情報取得部３０５が取得した画像読取装置２の位置情報などを含んでもよい。
【００８３】
図１２に戻り、安否画像生成部３１０は、生成した安否画像８０を、画像読取装置２に送信する（ステップＳ３０８）。なお、安否画像生成部３１０は、安否情報登録装置３の制御部及び通信インターフェイスにより実現されてよい。
【００８４】
画像読取装置２の安否画像形成部２０４は、安否情報登録装置３から送信された安否画像８０を印刷用紙などの媒体に形成して（ステップＳ３０９）、処理を終了する。即ち、安否画像形成部２０４は、安否要求特定部３０３が安否要求情報を特定した場合に（ステップＳ３０３：Ｙ）、グループ情報に関連付けられた安否情報に基づいて安否画像生成部３１０が生成した安否画像８０を形成する。なお、安否画像形成部２０４は、画像読取装置２の制御部及び画像形成部により実現されてよい。
【００８５】
このように、安否情報登録システム１に安否要求画像６１が入力されると、この安否要求画像６１に含まれるグループ情報が特定されて、このグループ情報に関連付けられた被災者情報及び安否情報を示す安否画像８０が形成される。被災者は、自分用に形成された安否要求画像６１を画像読取部２０１に読み取らせることにより、自身と同じグループに属する被災者（例えば、家族や町内会の住人、勤務先の同僚など）の安否を把握することができる。
【００８６】
また、被災者は、安否画像８０に含まれる安否要求画像８１を、画像読取装置２に読み取らせることもできる。画像読取装置２の画像読取部２０１が安否要求画像８１を読み取ると（ステップＳ３０１）、画像読取装置２の画像送信部２０２は、読み取った安否要求画像８１を安否情報登録装置３に送信し（ステップＳ３０２）、安否情報登録装置３の安否要求特定部３０３は、安否要求画像８１に含まれる安否要求情報とグループ情報とを特定する（ステップＳ３０３，Ｓ３０４）。
【００８７】
安否要求特定部３０３は、ステップＳ３０３において特定した安否要求情報が、差分の安否画像８０を要求するものであるか否かを判定する（ステップＳ３０５）。安否要求特定部３０３は、例えば、安否要求画像８１に当該画像の生成日時が含まれている場合に、安否要求情報が、差分の安否画像８０を要求するものと判断する。
【００８８】
特定された安否要求情報が差分の安否画像８０を要求するものと判断される場合（ステップＳ３０５：Ｙ）、安否情報登録装置３の安否画像生成部３１０は、差分の安否画像８０を生成する（ステップＳ３０７）。
【００８９】
図１４は、本実施形態に係る差分の安否画像８０の一例（安否画像８０ｂ）を示した図である。同図に示すように、安否画像８０には、被災者のグループに所属する各被災者のうち、安否要求画像８１に含まれる生成日時よりも更新日時が新しい被災者情報と、この被災者情報に関連付けられた安否情報及び位置情報が掲載される。なお、差分の安否画像８０である８０ｂにも、安否要求画像８１ａ（図１３参照）と同様の安否要求画像８１ｂが含まれる。
【００９０】
図１２に戻り、安否画像生成部３１０は、生成した差分の安否画像８０を画像読取装置２に送信して（ステップＳ３０８）、画像読取装置２の安否画像形成部２０４は、送信された差分の安否画像８０を印刷用紙などの媒体に形成する（ステップＳ３０９）。差分の安否画像８０には、特に、前回の安否画像８０の生成時点から新たに登録された被災者の安否情報が掲載されるため、被災者は、前回から変更された各被災者の安否を容易に把握することができる。
【００９１】
［３−４．位置要求画像が入力される場合の処理］
図１５は、位置要求画像７１が入力される場合に安否情報登録システム１が実行する処理の一例を示す図である。画像読取装置２の画像読取部２０１は、位置要求カード画像７０（図１０参照）から、被災者の所属するグループを示すグループ情報と、このグループに属する各被災者の位置を示す位置画像９０を要求するための位置要求情報と、を特定することが可能な位置要求画像７１を読み取る（ステップＳ４０１）。なお、画像読取部２０１は、位置要求カード画像７０から位置要求画像７１とは異なる他の画像（例えば、自由記入欄７２）を読み取ってもよいし、位置要求カード画像７０の全体を読み取ってもよい。
【００９２】
画像読取装置２の画像送信部２０２は、読み取られた位置要求画像７１と、画像読取装置２の位置情報を、安否情報登録装置３に向けて送信する（ステップＳ４０２）。
【００９３】
安否情報登録装置３の位置要求特定部３０４は、画像読取部２０１が読み取った位置要求画像７１を解析し、位置要求情報を特定することを試みる（ステップＳ４０３）。位置要求特定部３０４が位置要求情報を特定した場合（ステップＳ４０３：Ｙ）、位置要求特定部３０４は、位置要求画像７１の解析結果に基づいて、被災者のグループ情報を特定する（ステップＳ４０４）。なお、位置要求特定部３０４は、安否情報登録装置３の制御部により実現されてよい。
【００９４】
なお、位置要求特定部３０４は、位置要求画像７１に含まれる被災者情報を特定してよく、安否情報登録装置３の位置情報取得部３０５は、画像読取装置２の位置情報を取得してよい。この場合、安否情報登録装置３の登録部３０７は、被災者情報と位置情報とを関連付けて被災者情報データベース３０８に新たに登録してよいし、既存の被災者情報に対して更新してもよい。また、安否情報登録装置３のメッセージ画像取得部３０６は、位置要求カード画像７０の自由記入欄７２（図１０参照）に記載されたメッセージ画像を取得してよく、登録部３０７は、このメッセージ画像を識別するメッセージ画像ＩＤを関連付けて、被災者情報を登録してよいし、既存のメッセージ画像やメッセージ画像ＩＤを更新してもよい。
【００９５】
安否情報登録装置３の位置画像生成部３１２は、ステップＳ４０３において特定された位置要求情報が、経路情報付きの位置画像９０を要求するものであるか否かを判定する（ステップＳ４０５）。位置画像生成部３１２は、例えば、位置要求情報の種類が、経路情報付きの位置画像９０を要求するものであるか否かを判定する。
【００９６】
ここで、位置要求情報が経路情報付きの位置画像９０を要求するものと判定されない場合（ステップＳ４０５：Ｎ）、位置画像生成部３１２は、経路情報を含まない、通常の位置画像９０を生成する（ステップＳ４０６）。なお、位置要求情報が経路情報付きの位置画像９０を要求するものである場合（ステップＳ４０５：Ｙ）、位置画像生成部３１２は、経路情報付きの位置画像９０を生成する（ステップＳ４０８）が、その詳細については後述する。
【００９７】
ステップＳ４０６において、位置画像生成部３１２は、位置要求特定部３０４が特定したグループ情報に関連付けられた位置情報に基づいて、このグループ情報のグループに属する各被災者の位置を示す位置画像９０（通常の位置画像９０）を生成する。
【００９８】
図１６は、本実施形態に係る通常の位置画像９０の一例（位置画像９０ａ）を示した図である。同図に示すように、位置画像９０には、特定されたグループに所属する各被災者の名前や安否とともに、各被災者の位置が掲載される。
【００９９】
より具体的には、位置画像生成部３１２は、グループ情報に関連付けられた位置情報から、画像読取装置２の現実世界の位置（例えば、住所情報など）を特定し、これを被災者の位置として、位置画像９０を生成する。なお、被災者情報データベース３０８において、同一の被災者情報が複数登録されている場合、位置画像生成部３１２は、これらの同一の被災者情報のうちの何れか１つ（例えば、更新日時が最新の被災者情報）を選択し、これに関連付けられた位置情報に基づいて、位置画像９０を生成する。
【０１００】
また、位置画像９０には、現実世界の地図に重ねた状態で、各被災者の位置が掲載されてもよい。より具体的には、位置画像生成部３１２は、地図情報を取得するとともに、地図情報における被災者の位置を示した画像を、位置画像９０として生成してよい。他にも例えば、位置画像９０は、被災者の位置を示した住所情報の一覧であってもよい。なお、位置画像生成部３１２が地図情報を取得する場合、位置画像生成部３１２は、安否情報登録装置３の記憶部に記憶された地図データを取得してもよいし、外部のコンピュータや情報記憶媒体に記憶された地図データを取得してもよい。
【０１０１】
また、位置画像９０には、経路情報付きの位置画像９０を要求するための位置要求画像９１（位置要求画像９１ａ）が掲載される。ここで、位置要求画像９１は、被災者のグループ情報と、経路情報付きの位置画像９０を要求するための位置要求情報と、当該位置要求画像９１が生成された生成日時と、を含んでいる。なお、位置要求画像９１は、この他にも、被災者情報や画像読取装置２の位置情報などを含んでもよい。
【０１０２】
図１５に戻り、位置画像生成部３１２は、生成した位置画像９０を、画像読取装置２に送信する（ステップＳ４１１）。なお、位置画像生成部３１２は、安否情報登録装置３の制御部及び通信インターフェイスにより実現されてよい。
【０１０３】
画像読取装置２の位置画像形成部２０５は、安否情報登録装置３から送信された位置画像９０を印刷用紙などの媒体に形成して（ステップＳ４１２）、処理を終了する。即ち、位置画像形成部２０５は、位置要求特定部３０４が位置要求情報を特定した場合（ステップＳ４０３：Ｙ）、特定されたグループ情報に関連付けられた安否情報に基づいて位置画像生成部３１２が生成した位置画像９０を形成する。なお、位置画像形成部２０５は、画像読取装置２の制御部及び画像形成部により実現されてよい。
【０１０４】
このように、安否情報登録システム１に位置要求画像７１が入力されると、この位置要求画像７１に含まれるグループ情報が特定され、これに関連付けられた位置情報に基づいて、同じグループに属する各被災者の位置を示す位置画像９０が形成される。被災者は、自分用に形成された位置要求画像７１を画像読取部２０１に読み取らせることで、自分と同じグループに属する被災者（例えば、家族や町内会の住人、勤務先の同僚など）の位置を把握することが可能である。
【０１０５】
また、被災者は、形成された位置画像９０において、目的地とする被災者に対し、丸などのマークを付けた状態で、この位置画像９０及びこれに含まれる位置要求画像９１を、画像読取装置２に読み取らせることもできる。画像読取装置２の画像読取部２０１が位置要求画像９１を読み取ると（ステップＳ４０１）、画像読取装置２の画像送信部２０２は、読み取った位置要求画像９１を安否情報登録装置３に送信し（ステップＳ４０２）、安否情報登録装置３の位置要求特定部３０４は、位置要求画像９１に含まれる位置要求情報とグループ情報とを特定する（ステップＳ４０３，Ｓ４０４）。
【０１０６】
安否情報登録装置３の位置情報取得部３０５は、例えば、特定された位置要求情報の種類が、経路情報付きの位置画像９０を要求するものであるか否かを判定する（ステップＳ４０５）。位置要求情報が経路情報付きの位置画像９０を要求するものと判定される場合（ステップＳ４０５：Ｙ）、位置情報取得部３０５は、画像読取装置２の位置情報を取得し（ステップＳ４０７）、位置要求特定部３０４は、位置要求画像９１を入力した被災者の目的地を示す目的地情報を特定する（ステップＳ４０８）。
【０１０７】
位置要求特定部３０４は、例えば、画像読取部２０１が読み取った位置画像９０を解析することで、目的地情報を特定する。位置画像９０には、経路情報付きの位置画像９０を要求した被災者が丸などのマークを付した被災者の情報（例えば、被災者「ＡＡＡ」によりマークが付された被災者「ＣＣＣ」の情報）が記載されており、位置要求特定部３０４は、このマークが付された被災者の被災者情報を特定するとともに、この被災者情報に関連付けられた位置情報を、目的地情報として特定する。
【０１０８】
安否情報登録装置３の災害情報取得部３１１は、災害の災害情報を取得する（ステップＳ４０９）。災害情報取得部３１１は、例えば、災害情報を提供するサーバなどの情報処理装置から、災害情報をダウンロードすることにより取得する。ここで、災害情報とは、災害による被害の状況を示す情報であり、本実施形態では、災害の影響により利用することが困難となった経路の情報（例えば、通行止めとなった道路や、運行を中止した鉄道など）の情報を含む。なお、災害情報取得部３１１は、安否情報登録装置３の制御部及び通信インターフェイスにより実現されてよい。
【０１０９】
安否情報登録装置３の位置画像生成部３１２は、災害情報取得部３１１が取得した災害情報に基づいて、経路情報付きの位置画像９０を生成する（ステップＳ４１０）。
【０１１０】
図１７は、経路情報付きの位置画像９０の一例（位置画像９０ｂ）を示した図である。同図に示すように、位置画像９０ｂには、ステップＳ４０７において取得された位置情報が示すスタート地点９２と、ステップＳ４０８において特定された目的地情報が示すゴール地点９３と、スタート地点９２とゴール地点９３とを結ぶ利用可能な経路のうちの最短の経路である推奨経路９５が掲載される。ここで、災害情報により示される、災害の影響により利用することが困難となった経路は、推奨経路９５から除かれる。
【０１１１】
なお、安否情報登録装置３の記憶部は、推奨経路９５を検索するための公知のアルゴリズムを記憶してよく、位置画像生成部３１２は、当該アルゴリズムに、地図情報、及び、スタート地点９２、ゴール地点９３の各種情報を入力することで、推奨経路９５を検索してもよい。また、位置画像生成部３１２は、検索された推奨経路９５を、位置要求特定部３０４が特定した被災者情報に関連付けて、スタート地点９２を示す位置情報と、ゴール地点９３を示す位置情報と、検索された推奨経路９５の情報を、被災者情報データベース３０８に記憶させてもよい。
【０１１２】
図１５に戻り、生成された位置画像９０（位置画像９０ｂ）は、画像読取装置２に送信されて（ステップＳ４１１）、画像読取装置２において、印刷用紙などの媒体に形成される（ステップＳ４１２）。即ち、画像読取装置２の位置画像形成部２０５は、災害情報取得部３１１が取得した災害情報に基づいて、経路情報付きの位置画像９０を形成する。媒体に形成される位置画像９０には、スタート地点９２からゴール地点９３までの推奨経路９５が掲載されるため、被災者は、所望の被災者の位置に到達するための経路を把握することが可能である。
【０１１３】
なお、図１７に示すように、経路情報付きの位置画像９０ｂにも、経路情報付きの位置画像９０を要求するための位置要求画像９１ｂが掲載される。被災者は、ゴール地点９３が示す目的地に向かって進む途中で、画像読取装置２が設置された施設や店舗などに立ち寄り、この画像読取装置２に、上記位置要求画像９１ｂを読み取らせることができる。このようにすることで、被災者は、目的地とする各被災者の位置（即ち、目的地情報）を示す最新の情報と、この目的地であるゴール地点９３までの推奨経路９５を取得することが可能である。即ち、被災者により、位置要求画像９１ｂが入力された場合においても、安否情報登録装置３の位置画像生成部３１２は、経路情報付きの位置画像９０を生成し（ステップＳ４１０）、画像読取装置２の位置画像形成部２０５は、送信された位置画像９０を印刷用紙などの媒体に形成する（ステップＳ４１２）。
【０１１４】
図１８は、経路情報付きの位置画像９０の一例（位置画像９０ｃ及び位置画像９０ｄ）を示した図である。同図に示すように、位置画像生成部３１２は、位置画像９０を要求した被災者の位置を示すスタート地点９２から、当該被災者により指示された被災者の位置を示すゴール地点９３までの経路９５を、複数の位置画像９０に亘って生成してもよい。
【０１１５】
また、被災者情報データベース３０８において、同一の被災者に係る複数の被災者情報が記憶される場合（即ち、同一の被災者に係る被災者情報が履歴として記憶される場合）、位置画像生成部３１２は、図１８に示すように、前回のスタート地点９７と、前回のゴール地点９８と、前回のスタート地点９７からスタート地点９２までの経路である前回の推奨経路９９と、を含む位置画像９０を生成してもよい。即ち、位置画像生成部３１２は、前回の位置画像９０において示される各種情報を含む位置画像９０を生成してもよい。なお、前回の位置画像９０において示される各種情報は、被災者情報に関連付けられた状態で被災者情報データベース３０８に記憶されていてもよい。
【０１１６】
より具体的には、位置画像生成部３１２は、被災者情報データベース３０８に記憶される複数の被災者情報の中から、位置要求画像９１に含まれる被災者情報と同一であって、且つ、更新日時が位置要求画像９１に含まれる生成日時を超えない被災者情報を検索し、この被災者情報に関連付けられた位置情報が示す位置を、前回のスタート地点９７として、前回のスタート地点９７と前回の推奨経路９９とを含む位置画像９０を生成してよい。
【０１１７】
また、位置画像生成部３１２は、被災者情報データベース３０８に記憶される複数の被災者情報の中から、目的地情報に係る被災者情報と同一であって、且つ、更新日時が位置要求画像９１に含まれる生成日時を超えない被災者情報を検索し、この被災者情報に関連付けられた位置情報が示す位置を、前回のゴール地点９８として、前回のゴール地点９８を含む位置画像９０を生成してもよい。
【０１１８】
このように、位置画像生成部３１２が前回の情報を含む位置画像９０を生成する場合、位置画像形成部２０５は、前回の情報を含む位置画像９０を印刷用紙などの媒体に形成する。被災者は、各被災者の位置について、前回からの変更点を容易に把握することが可能である。図１７〜図１８に示した一例においては、被災者ＡＡＡの移動中に、被災者ＣＣＣが別の場所に移動した場合であっても、被災者ＡＡＡは、最新の被災者ＣＣＣの居場所を把握して、被災者ＣＣＣに合うことが可能である。
【０１１９】
［４．変形例］
以上、本発明の一例である実施形態について説明したが、本発明は上記実施形態に限定されるものではない。以下、本発明を実施するための他の形態の例（変形例）について説明する。
【０１２０】
（１）実施形態では、第１特定部３０１と、第２特定部３０２と、安否要求特定部３０３と、位置要求特定部３０４と、位置情報取得部３０５と、メッセージ画像取得部３０６と、登録部３０７と、被災者情報データベース３０８と、第２画像生成部３０９と、安否画像生成部３１０と、災害情報取得部３１１と、位置画像生成部３１２と、が安否情報登録装置３において実現される場合について説明したが、これらの機能は、画像読取装置２側で実現されてもよい。例えば、画像読取装置２は、読み取った被災者登録画像４０や安否登録画像５１を解析して、被災者情報及び安否情報を特定するとともに、これらの情報を関連付けて被災者情報データベース３０８に登録してもよい。また、被災者情報データベース３０８は、画像読取装置２の記憶部により実現されてもよいし、安否情報登録装置３や画像読取装置２に内蔵されるものとは異なる、他のＲＡＭやハードディスクなどの記憶装置により実現されてもよい。
【０１２１】
（２）また、実施形態では、被災者登録画像４０（図４参照）が読み取られることで、この被災者登録画像４０に記載される被災者情報と、画像読取装置２の位置情報が登録される場合について説明したが、被災者登録画像４０には、被災者の安否を示す記入欄（例えば、「無事」や「けが」などと書かれた文字列情報や、当該文字列情報に付されたマークの情報など）が含まれていてもよく、安否情報登録装置３は、被災者登録画像４０から特定される安否情報を、被災者情報に関連付けて登録してもよい。
【０１２２】
より具体的には、安否情報登録装置３の第１特定部３０１は、画像読取部２０１が読み取った被災者登録画像４０を解析して、被災者の被災者情報と安否情報とを特定し、安否情報登録装置３の登録部３０７は、特定された被災者情報と、特定された安否情報とを関連付けて、被災者情報データベース３０８に登録してもよい。このようにすることで、被災者は、被災者情報の登録と安否情報の登録を一度の操作で行うことが可能となる。
【０１２３】
（３）また、実施形態では、画像読取部２０１の第２画像形成部２０３が、無事であることを登録するための安否登録画像５１ａを含む安否登録カード画像５０ａと、けがをしていることを登録するための安否登録画像５１ｂを含む安否登録カード画像５０ｂと、安否画像８０を要求するための安否要求画像６１を含む安否要求カード画像６０と、位置画像９０を要求するための位置要求画像７１を含む位置要求カード画像７０と、をそれぞれ形成する場合について説明したが、第２画像形成部２０３は、安否登録画像５１ａと、安否登録画像５１ｂと、安否要求画像６１と、位置要求画像７１のうちの２以上（又は、全て）を含んだ１つの画像を生成してもよい。
【０１２４】
（４）また、実施形態では、安否要求画像６１が被災者のグループ情報を特定可能な状態で含み、安否情報登録装置３の安否画像生成部３１０が、この安否要求画像６１に含まれるグループ情報に関連付けられた安否情報に基づいて、被災者と同じグループに属する各被災者の安否を示す安否画像８０を生成する場合について説明した。ここで、安否画像生成部３１０は、安否要求画像６１に被災者情報が含まれていれば、この被災者情報に関連付けられたグループ情報を特定すること可能であるため、安否要求画像６１がグループ情報を含む場合と同様に、被災者と同じグループに属する各被災者の安否を示す安否画像８０を生成することが可能である。即ち、安否要求画像６１は、必ずしもグループ情報を含まなくてもよい。
【０１２５】
（５）また、実施形態では、位置要求画像７１が被災者のグループ情報を特定可能な状態で含み、安否情報登録装置３の位置画像生成部３１２が、位置要求画像７１に含まれるグループ情報に関連付けられた安否情報に基づいて、被災者と同じグループに属する各被災者の位置を示す位置画像９０を生成する場合について説明したが、位置画像生成部３１２は、位置要求画像７１に被災者情報が含まれていれば、この被災者情報に関連付けられたグループ情報を特定可能であるため、位置要求画像７１は、必ずしもグループ情報を含まなくてもよい。
【０１２６】
（６）なお、実施形態において説明した各種画像は、図示したものに限られず、フォーマットや画像に含まれる情報などを適宜変更してよいのはもちろんである。
【符号の説明】
【０１２７】
１  安否情報登録システム、２  画像読取装置、３  安否情報登録装置、４０  被災者登録画像、５０  安否登録カード画像、５１  安否登録画像、５２  自由記入欄、６０  安否要求カード画像、６１  安否要求画像、６２  自由記入欄、７０  位置要求カード画像、７１  位置要求画像、７２  自由記入欄、８０  安否画像、８１  安否要求画像、８２  メッセージ画像、９０  位置画像、９１  位置要求画像、９２  スタート地点、９３  ゴール地点、９５  推奨経路、９７  前回のスタート地点、９８  前回のゴール地点、９９  前回の推奨経路、２０１  画像読取部、２０２  画像送信部、２０３  第２画像形成部、２０４  安否画像形成部、２０５  位置画像形成部、３０１  第１特定部、３０２  第２特定部、３０３  安否要求特定部、３０４  位置要求特定部、３０５  位置情報取得部、３０６  メッセージ画像取得部、３０７  登録部、３０８  被災者情報データベース、３０９  第２画像生成部、３１０  安否画像生成部、３１１  災害情報取得部、３１２  位置画像生成部。
【図１】
0006582437.tif 000002
【図２】
0006582437.tif 000003
【図３】
0006582437.tif 000004
【図４】
0006582437.tif 000005
【図５】
0006582437.tif 000006
【図６】
0006582437.tif 000007
【図７】
0006582437.tif 000008
【図８】
0006582437.tif 000009
【図９】
0006582437.tif 000010
【図１０】
0006582437.tif 000011
【図１１】
0006582437.tif 000012
【図１２】
0006582437.tif 000013
【図１３】
0006582437.tif 000014
【図１４】
0006582437.tif 000015
【図１５】
0006582437.tif 000016
【図１６】
0006582437.tif 000017
【図１７】
0006582437.tif 000018
【図１８】
0006582437.tif 000019